(57)【要約】  吊下げ糸(７)のバッグ本体(３)への止着基部を、頂点が下を向いた逆三角錐状のバッグ本体(３)を構成する上面三角形(１２)の面内のうち、バッグ本体(３)を吊下げたときに、基部と重心(ｄ)とを結ぶ線上またはその近傍に頂点がくるように、バッグ本体に充填された被抽出物(Ｔ)の量に応じて決める。タグ(５)を摘まんでバッグ本体(３)を引き上げたときには、被抽出物(Ｔ)とその周囲の湯の重みにより、バッグ本体(３)内の抽出液である湯が速やかに落ちていき、比較的短時間で注ぎきることができる。
2008111354.tif 000002
【特許請求の範囲】
【請求項１】
被抽出物が充填されているバッグ本体と、前記バッグ本体に基部が止着された吊下げ糸とからなる抽出バッグにおいて、
前記バッグ本体は、頂点が下を向いた逆三角錐状をなし、
前記吊下げ糸の止着基部は、頂点が下を向いた逆三角錐状のバッグ本体を構成する上面三角形の面内のうち、バッグ本体を吊下げたときに、吊下げ糸の止着基部と重心とを結ぶ線上またはその近傍に前記頂点がくることになる位置に設定されていることを特徴とする抽出バッグ。
【請求項２】
請求の範囲第１項に記載した抽出バッグにおいて、
吊下げ糸の止着位置は、上面三角形の高さ線を水平な上辺とし、その高さ線の両端と頂点とを結ぶ辺を側辺とする切断三角形の面内における前記頂点を通って前記上辺を１：２に分割する重心線上の前記バッグ本体に充填された被抽出物の量に応じて適宜予測された重心位置から前記上辺におろされた垂線の足またはその近傍に設けられていることを特徴とする抽出バッグ。
【請求項３】
請求の範囲第１項または第２項に記載した抽出バッグにおいて、
バッグ本体は、連続した長尺の包材シートの縦方向縁部を互いに合わせて縦シールして筒状にすると共に、前記筒状体に対して所定の間隔をおいて上下二箇所から互いに直交する方向に横シールすることにより三角錐状に形成されたものであり、
吊下げ糸の止着位置は、上面三角形の面内の縦シール部上またはその近傍に設けられていることを特徴とする抽出バッグ。
【請求項４】
請求の範囲第３項に記載した抽出バッグにおいて、
縦シール部は、上面三角形の高さ線と若干の距離をあけて平行に延びており、
吊下げ糸の止着位置は、前記上面三角形の高さ線上に設けられていることを特徴とする抽出バッグ。
【請求項５】
請求の範囲第３項または第４項に記載した抽出バッグを製造するための包材であって、
バッグ本体を構成する連続した長尺のシートと、前記シートの幅方向一端側に係着された複数のタグと、前記タグに対して一対一で対応して自由端が前記タグに止着され、基部が前記シートの幅方向他端側に止着されて前記シートを幅方向に横断する複数の吊下げ糸とを備え、
前記タグは前記シートの長手方向に等間隔をおいて複数係着されており、
前記吊下げ糸の基部の止着位置は、対応するタグの係着位置より長手方向に対して同じだけ高くなるかまたは低くなっており、しかも長手方向に隣り合う吊下げ糸は交互に高低になっていることを特徴とする包材。
【請求項６】
請求の範囲第５項に記載した包材において、
吊下げ糸はバッグ本体に止着された基部とタグに止着された自由端の間で弛んでいることを特徴とする包材。
【発明の詳細な説明】
【技術分野】
【０００１】
本発明は、吊下げ糸を備える抽出バッグ及びその抽出バッグの製造に用いる包材に関するものである。
【背景技術】
【０００２】
茶葉などを充填・封入した抽出バッグを使用後に引き上げ易くするために、従来から吊下げ糸が取付けられた抽出バッグが販売されている。
ところで、特に茶葉を抽出する場合には、注ぎきって最後の一滴まで入れることにより風味が格段に良くなることが知られており、その最後の一滴は紅茶の場合には「ゴールデンドロップ」と言われている。
従って、抽出バッグを使用する場合にも上記の最後の一滴は是非ともカップの中に落として味わいたいとの要望が強い。【０００３】
【特許文献１】特開２００２−２１１６４１号公報
【発明の開示】
【発明が解決しようとする課題】
【０００４】
従来はバッグ本体が平袋状のものが主であったが、最近では特許文献１に示すバッグ本体が三角錐状のものも市販されている。バッグ本体が三角錐状に形成されると、展開されたときにバッグ本体内の容積が増大し、茶葉が流動し易くなり、抽出効率が上がるからである。
しかしながら、バッグ本体が平袋状でも三角錐状でも湯を入れたカップから引き上げた後、少量の湯がバッグ本体内に留まり、なかなか最後の一滴には至らない。一方、無理に振り回して急かすと、渋み成分まで抽出されてしまう。【０００５】
また、吊下げ糸は極端に短いとカップ内に入れて抽出しているときにカップ内に落ち込み易いが、吊下げ糸が落ち込むとタグもカップ内に落ち込んでしまうため不衛生となる。
さらに、経済面を考慮すれば、従来の市販のティーバッグ製造装置をそのまま使用したい。【０００６】
それ故、本発明は、上記課題を解決するために、従来品より短時間で注ぎきれる抽出バッグを提供することを目的とする。
また、本発明は、従来と吊下げ糸の長さを同程度または場合によってはそれ以上に長くできる抽出バッグを提供することを目的とする。
さらに、本発明は、従来の市販の製造装置をそのまま使用できる抽出バッグを製造するための包材を提供することを目的とする。
【課題を解決するための手段】
【０００７】
上記課題を解決するために、鋭意研究の結果、吊下げ糸の基部のバッグ本体への止着位置を所定の原理に基づいて設定することで上記の複数の課題を同時に解決できることを思い付き、本発明を完成するに至った。
請求の範囲第１項の発明は、被抽出物が充填されているバッグ本体と、前記バッグ本体に基部が止着された吊下げ糸とからなる抽出バッグにおいて、前記バッグ本体は、頂点が下を向いた逆三角錐状をなし、前記吊下げ糸の止着基部は、頂点が下を向いた逆三角錐状のバッグ本体を構成する上面三角形の面内のうち、バッグ本体を吊下げたときに、吊下げ糸の止着基部と重心とを結ぶ線上またはその近傍に前記頂点がくることになる位置に設定されていることを特徴とする抽出バッグである。【０００８】
請求の範囲第２項の発明は、請求の範囲第１項に記載した抽出バッグにおいて、吊下げ糸の止着位置は、上面三角形の高さ線を水平な上辺とし、その高さ線の両端と頂点とを結ぶ辺を側辺とする切断三角形の面内における前記頂点を通って前記上辺を１：２に分割する重心線上の前記バッグ本体に充填された被抽出物の量に応じて適宜予測された重心位置から前記上辺におろされた垂線の足またはその近傍に設けられていることを特徴とする抽出バッグである。【０００９】
請求の範囲第３項の発明は、請求の範囲第１項または第２項に記載した抽出バッグにおいて、バッグ本体は、連続した長尺の包材シートの縦方向縁部を互いに合わせて縦シールして筒状にすると共に、前記筒状体に対して所定の間隔をおいて上下二箇所から互いに直交する方向に横シールすることにより三角錐状に形成されたものであり、吊下げ糸の止着位置は、上面三角形の面内の縦シール部上またはその近傍に設けられていることを特徴とする抽出バッグである。【００１０】
請求の範囲第４項の発明は、請求の範囲第３項に記載した抽出バッグにおいて、縦シール部は、上面三角形の高さ線と若干の距離をあけて平行に延びており、吊下げ糸の止着位置は、前記上面三角形の高さ線上に設けられていることを特徴とする抽出バッグである。【００１１】
請求の範囲第５項の発明は、請求の範囲第３項または第４項に記載した抽出バッグを製造するための包材であって、バッグ本体を構成する連続した長尺のシートと、前記シートの幅方向一端側に係着された複数のタグと、前記タグに対して一対一で対応して自由端が前記タグに止着され、基部が前記シートの幅方向他端側に止着されて前記シートを幅方向に横断する複数の吊下げ糸とを備え、前記タグは前記シートの長手方向に等間隔をおいて複数係着されており、前記吊下げ糸の基部の止着位置は、対応するタグの係着位置より長手方向に対して同じだけ高くなるかまたは低くなっており、しかも長手方向に隣り合う吊下げ糸は交互に高低になっていることを特徴とする包材である。【００１２】
請求の範囲第６項の発明は、請求の範囲第５項に記載した包材において、吊下げ糸はバッグ本体に止着された基部とタグに止着された自由端の間で弛んでいることを特徴とする包材である。
【発明の効果】
【００１３】
本発明の抽出バッグによれば、速やかに注ぎ切れる。
しかも、抽出バッグの用途に応じて、吊下げ糸を長くすることも容易にできる。
また、本発明の包材によれば、従来の市販の製造装置をそのまま使用できる。
【図面の簡単な説明】
【００１４】
【図１】本発明の第１の実施の形態に係る抽出バッグの使用状態の説明図である。
【図２】図１に示す抽出バッグ用の包材のタグ取付け側の平面図である。
【図３】図２に示す包材から三角錐状のバッグ本体を形成するまでのシール手順の説明図である。
【図４】図１に示す抽出バッグの吊下げ糸のシートへの止着位置の簡易算定方法の説明用の図である。
【図５】図１に示す抽出バッグの吊下げ糸のシートへの止着位置の簡易算定方法の説明用の図である。
【図６】ある寸法の包装材を使用した場合の吊下げ糸のシートへの止着位置の説明用の図である。
【図７】第２の実施の形態に係る包材のタグ取付け側の平面図である。
【図８】第３の実施の形態に係る包材のタグ取付け側の平面図である。
【図９】第４の実施の形態に係る包材のタグ取付け側の平面図である。
【図１０】第５の実施の形態に係る包材のタグ取付け側の平面図である。
【図１１】第５の実施の形態に係る包材から形成したバッグ本体の斜視図である。
【符号の説明】
【００１５】
１‥抽出バッグ        ３‥バッグ本体        ５‥タグ        ７‥吊下げ糸
９‥包材（第１の実施の形態）        １１‥シート        １２‥上面三角形
１３‥縦シール部        １４‥切断三角形        １５，１７‥横シール部
１９‥包材（第２の実施の形態）        ２１‥吊下げ糸
２３‥包材（第３の実施の形態）        ２５‥吊下げ糸        ２７‥高さ線
２９‥包材（第４の実施の形態）        ３１‥吊下げ糸
３３‥包材（第５の実施の形態）        Ｔ‥被抽出物（紅茶の茶葉)
ａ，ｂ‥縦シール部の両端部（＝上辺の両端点）        ｃ‥頂点
ｄ‥被抽出物の重心        ｅ‥上面三角形の重心
ｆ‥重心ｄを通る垂線の足        ｇ‥頂点ｃを通る垂線の足
ｈ‥中点        ｉ‥止着位置        ｊ１，ｊ２‥高さ位置
【発明を実施するための最良の形態】
【００１６】
本発明の第１の実施の形態に係る抽出バッグ１を、図面に従って説明する。
図１はティーバッグとしての抽出バッグ１の使用状態を示す斜視図であり、当に最後の一滴が落ちようとしている。
この抽出バッグ１のバッグ本体３は、展開されて逆三角錐状をしており、各辺は二等辺三角形になっている。
符号５はタグを示し、このタグ５に吊下げ糸７の自由端が超音波溶着法により止着され、吊下げ糸７の基部はバッグ本体３に同様にして止着されている。
吊下げ糸７は逆三角錐状のバッグ本体３の上面を構成する上面三角形１２の面内の特定の箇所で止着されている。止着された部分が吊下げ糸７の基部となる。【００１７】
この抽出バッグ１は、実際の市販のティーバッグ製造装置を使用した場合には、図２に示すような連続した長尺な包材９のシート１１が矢印の方向に送り出され、巻き回された状態で縦シールアンドカットされて縦シール部１３により接合された筒状体に形成される。
次に、横シールと同時にカットされることで当該横シール部１５を挟んで下流側では包装材Ａの上部が閉じられ、上流側では包装材Ｂの下部が閉じられる。
さらに、所定のピッチ間隔で横シール機前に送られた後に、横シールと同時にカットされることで当該横シール部１７を挟んで下流側では包装材Ｂの上部が閉じられ、上流側では包装材Ｃの下部が閉じられる。被抽出物（紅茶の茶葉）Ｔの投入（＝充填）は、包装材の下部が閉じられた後上部が閉じられる前になされる。
バッグ本体３は展開したときに三角錐状をなすようにするために、上下で互いに直交する方向に横シールされている。点線は三角錐状に展開されたときに辺を構成する部位を示したものであるが、この点線の位置は横シールの際の筒状体の折り曲げ位置により決まる。図２の場合には、一方の折り曲げ位置が縦シール部１３上になっているため、図示の位置に点線が描かれている。
図３は、包装材Ｂにより形成される一つの抽出バッグ１に着目してシール順序が描かれている。【００１８】
図４（１）はシールアンドカットにより１つのバッグ本体３となる包装材Ｂであり、図４（２）は包装材Ｂをシールし、シート１１の撓みを延ばすと共に点線で折り曲げることにより、理想的な状態で形状が保持された逆三角錐形の斜視図であり、各三角形が平面状の理想状態で描かれている。
図４（２）に示す三角錐を構成する三角形はいずれも二等辺三角形になり、特別な場合には正三角形になる。
三角錐の寸法関係は、シート１１の幅とピッチにより決まる。
市販のティーバッグ製造装置には大抵、規格寸法が決まっており、例えば、シート１１の幅：１４０ｍｍ（＋２．０〜−０．５）、ピッチ：５８ｍｍ（±１．５）、シート１１の幅：１６０ｍｍ（＋２．０〜−０．５）、ピッチ：６５ｍｍ（±１．５）、シート１１の幅：１４０ｍｍ（＋２．０〜−０．５）、ピッチ：５２ｍｍ（±１．５）、シート１１の幅：１６０ｍｍ（＋２．０〜−０．５）、ピッチ：６０．６ｍｍ（±１．５）が設定されている。
上記した４つの規格寸法はいずれも三角錐状用であり、後者の２つの規格寸法を採用すれば、正三角形になる。【００１９】
この図４を利用して、吊下げ糸７の基部の止着位置の簡易算定方法について説明する。
先ず、図４（１）の展開図に示すように、縦シール部１３(両端ａ，ｂ)を上面三角形１２の高さ線となるように横シール部１５を調整すると、図４（２）の立体図に示すように、縦シール部１３の両端ａ，ｂを水平な上辺とし、頂点ｃを下端とする切断三角形１４（斜線で示された部分）が画定される。被抽出物Ｔの重心ｄはその充填量の多い少ないに関係なく、常に上記した切断三角形１４の面内にある。【００２０】
被抽出物Ｔの重心ｄは、頂点ｃと上面三角形１２の重心ｅを結ぶ線分ｃｅ（＝重力線上）を３：５の比に内分する点であり、上面三角形１２の重心ｅは上辺ａｂを１：２の比に内分する点である。
例えば、被抽出物Ｔを充填形状がバッグ本体３の逆三角錐形と略相似形となるように半分の高さ分だけ充填すると、図５に描かれたような寸法関係になる。
重心ｄを上辺ａｂにおろした垂線の足ｆを止着位置として吊下げ糸７を止着すると、重力の作用線と支持線が一直線上にある。従って、力の釣合いが取れ、理想的関係では上辺ａｂが水平に保たれ、頂点ｃが重心ｄの直下にくる。この状態に設定することにより、被抽出物Ｔとその周囲の湯の重さを最も効率よく利用して抽出液を注ぎきることができる。【００２１】
なお、バッグ本体３を構成する二等辺三角形が正三角形でない場合には、重心ｄを通る垂線の足ｆと、頂点ｃを通る垂線の足ｇとは水平方向にずれるので、上記した水平状態では、厳密に言えばタグ５をつまんで吊下げ糸７を介してバッグ本体３を吊下げたときに、重心ｄの直下からずれた位置に頂点ｃはくる。
しかしながら、重心ｄを通る垂線の足ｆと頂点ｃを通る垂線の足ｇとの距離ｆｇは５ｍｍ以内の近傍位置であれば略直下にあるので、抽出液を十分に効率良く注ぎきることができる。【００２２】
また、図４（２）で示すように、縦シール部１３を上辺とする場合には、吊下げ糸７をある程度の止着幅寸法をもってバッグ本体３に安定的に止着するために、縦シール部１３より内方に後退した止着位置ｉが実際の止着位置となる。
止着位置ｉが垂線の足ｆに一致すれば、上記したように重さを最も効率よく利用して抽出液を注ぎきることができるが、縦シール部１３から内方への後退距離も８ｍｍ以内、好ましくは５ｍｍ以内の近傍位置であれば、十分に効率良く注ぎきることができる。【００２３】
この実施の形態のように、頂点ｃが重心ｄの略真下にあると、タグ５を摘まんでバッグ本体３を吊下げたときには、被抽出物Ｔとその周囲の湯の重みにより、バッグ本体３内の抽出液である湯が速やかに落ちていき、比較的短時間で注ぎきることができる。
しかも、吊下げ糸７は包材９を斜めに傾斜してその幅方向をほぼ横断して、縦縁近傍まで延びており、水平に横断した場合より長くなっている。【００２４】
例えば、図４（１）に示す包装材の寸法が、シート幅：１６０ｍｍ、ピッチ：６５ｍｍの場合には、縦シールアンドカットにより両側端からそれぞれ１０ｍｍずつカットすると、図６に示す切断三角形１４になる。
この場合に、上記した簡易算定方法で算定すると、図６に示すように吊下げ糸７の理想的な止着位置である垂線の足ｆと頂点ｃを通る垂線の足ｇとの距離ｆｇは２．１ｍｍであり、垂線の足ｆは上辺ａｂの中点ｈより左に７．３ｍｍ偏った位置になる。
上辺ａｂは１ピッチ分の長さを有する縦シール部１３に対応するから、吊下げ糸７の止着位置ｉは、シート１１の長手方向に中線より７．３ｍｍ低い位置となる。
また、止着位置ｉは内方に８ｍｍ以内で後退した位置となる。【００２５】
図７は第２の実施の形態に係る別の包材１９を示し、この包材１９は吊下げ糸２１が弛んでいる。このように吊下げ糸２１を弛ますことで、吊下げ糸２１をさらに一層長くすることができる。
なお、第１の実施の形態と共通する部分は同じ符号を付して説明を省略する。以下の実施の形態でも同様とする。【００２６】
図８は、第３の実施の形態に係る別の包材２３を示す。この包材２３では、吊下げ糸２５が縦シール部１３近傍ではなく、縦シール部１３を面内に含む三角形の隣の三角形の高さ線２７上に止着されている。
吊下げ糸２５が短くてもよければ、このような構成でもよい。この構成によれば、垂線の足ｆジャストの位置を止着位置iとできる。【００２７】
図９は、第４の実施の形態に係る別の包材２９を示す。この包材２９ではタグ５の係着間隔が一定にはなっていない。
慣用のタグ取付けマシンではタグの係着間隔は等しいピッチ間隔になっているが、センサー制御などによりこの包材２９のようにタグ５の係着位置を変化させれば、タグ５の係着位置と吊下げ糸３１のシート１１への止着位置を同じ高さ位置（ｊ１，ｊ２）に設定することができる。【００２８】
図１０は、第５の実施の形態に係る別の包材３３を示す。この包材３３の吊下げ糸７の止着位置ｉは第１の実施の形態に係る包材９の吊下げ糸７の基部の止着位置ｉと高さ位置は同じであるが、水平方向の位置については前者が後者より内方に後退している。
第１の実施の形態のように包材９を作成すると、抽出バッグの製造装置にかけて茶葉などの被抽出物を充填しながら製袋するときに縦シールと同時に行う両端部のカットを高精度に行うことが要求される。カットの位置が少しでも内方に後退すると吊下げ糸７の元々の止着幅寸法、第1の実施の形態では（ｉ〜ｆ）寸法より小さくなるので、止着強度が低下し、吊下げ糸７を引き上げる際には湯の重みに耐えられなくなって落下し易くなるからである。【００２９】
それに対して、この包材３３では、切断三角形１４の上辺をなす高さ線（一点鎖線で示す）が、縦シール部１３とは重なり合っていないのでカットの精度はそれほど要求されない。
しかも、重心ｄを通る垂線の足ｆジャストの位置を止着位置とできる。
図１０では、理解の便宜のために、高さ線がかなり内方に描かれているが、カット精度を考慮しても元々の止着幅寸法を確保できる位置に高さ線を設定すれば十分であることは言うまでもない。
なお、この場合には、図１１に示すように、縦シール部１３は２つの三角形の面内を通ることになるが、縦シール部１３は非常に幅寸法が小さく、剛性も周囲とさして変わらないので、２つの三角形の面内を通っていても、抽出時に三角錐の形状が特に崩れ易いということはない。【００３０】
上記したシート１１の材料としては、例えば、ポリエチレン繊維製不織布及びメッシュ、ポリプロピレン繊維製不織布及びメッシュ、ナイロン製不職布及びメッシュ等のプラスチック製不織布及びメッシュ等が適用できる。
また被抽出物としては茶葉類一般を充填でき、紅茶に限らす、緑茶、コーヒー等を充填できる。【００３１】
以上、本発明の実施の形態を説明したが、本発明の具体的構成は上記の実施の形態に限定されるものではなく、本発明の要旨から外れない範囲での設計変更があっても本発明に含まれる。
即ち、シートなどの構成材料の種類や製造装置は、従来からあるまたは将来案出されるものを任意に利用することができる。
【産業上の利用可能性】
【００３２】
本発明の抽出バッグは、比較的速やかに注ぎきることができるので、誰もが手軽に最後の一滴を含む茶などを飲用することができる。
【図１】
2008111354.tif 000003
【図２】
2008111354.tif 000004
【図３】
2008111354.tif 000005
【図４】
2008111354.tif 000006
【図５】
2008111354.tif 000007
【図６】
2008111354.tif 000008
【図７】
2008111354.tif 000009
【図８】
2008111354.tif 000010
【図９】
2008111354.tif 000011
【図１０】
2008111354.tif 000012
【図１１】
2008111354.tif 000013
【国際調査報告】
2008111354.tif 000014
2008111354.tif 000015
2008111354.tif 000016
2008111354.tif 000017